(57)【要約】【課題】任意の交換レンズカメラを光フィールドカメラに変換するように構成されるアダプタを提供する。【解決手段】交換レンズカメラのための光フィールドアダプタは、カメラのマウントインタフェースに受け入れられるように構成される第１の端部と、交換レンズのマウントインタフェースに結合されるように構成される第２の端部とを含むアダプタハウジングと、前記ハウジング内に配設されるレンズアレイと、を有する。前記レンズアレイは、前記カメラのセンサから複数の距離に配設される複数のレンズを含み、前記センサの異なる領域を照明して、シーンから発する光フィールドについての情報を取り込む。前記レンズアレイは、取り込まれた光フィールドを用いて、無限被写界深度のレンダリング、浅い被写界深度のレンダリング、及び異なるシーン深度に焦点が合わせられる画像のうちの１つ又はそれ以上を生成するような寸法とし且つ位置決めすることができる。【選択図】図３
2021500622.tif 000002
【特許請求の範囲】
【請求項１】
交換レンズカメラのための光フィールドアダプタであって、
カメラのマウントインタフェースに受け入れられるように構成される第１の端部と、交換レンズのマウントインタフェースに結合されるように構成される第２の端部とを備えるアダプタハウジングと、
前記ハウジング内に配設されるレンズアレイと、を備え、
前記レンズアレイは、前記カメラのセンサから複数の距離に配設される複数のレンズを備えて、前記複数のレンズの各々が、センサの異なる領域を照明して、シーンから発する光フィールドについての情報を取り込むようになっている、
ことを特徴とする光フィールドアダプタ。
【請求項２】
前記アダプタハウジングは、カメラ本体の雌マウント内に受け入れられるように構成される雄収容部と、前記交換レンズの雄マウントを受け入れるように構成される雌収容部とを備えることを特徴とする、請求項１に記載の光フィールドアダプタ。
【請求項３】
前記雄収容部は、前記カメラと通信するための１つ又はそれ以上の電気接点を備え、前記雌収容部は、前記交換レンズと通信するための１つ又はそれ以上の電気接点を備えることを特徴とする、請求項２に記載の光フィールドアダプタ。
【請求項４】
前記レンズアレイは、前記アダプタハウジングにおいて、前記交換レンズ及びカメラセンサの位置合わせ距離に対応する位置に配設されることを特徴とする、請求項１に記載の光フィールドアダプタ。
【請求項５】
前記レンズアレイの前記複数のレンズは、前記カメラセンサに焦点を合わせるように構成及び位置決めされ、取り込まれた前記光フィールドを用いて、超解像画像を生成することを特徴とする、請求項１に記載の光フィールドアダプタ。
【請求項６】
前記レンズアレイの前記複数のレンズは、取り込まれた前記光フィールドを用いて、無限被写界深度のレンダリング、浅い被写界深度のレンダリング、及び異なるシーン深度に焦点が合わせられる画像のうちの１つ又はそれ以上を生成するように構成及び位置決めされることを特徴とする、請求項１に記載の光フィールドアダプタ。
【請求項７】
前記レンズアレイの前記複数のレンズは、シングルショットからの深度マップ計算、及び高品質３Ｄ撮像の１つ又はそれ以上を提供するように構成及び位置決めされることを特徴とする、請求項１に記載の光フィールドアダプタ。
【請求項８】
更に、前記アダプタハウジングの前記雄収容部に取り付けるように構成される雌収容部と、前記カメラの前記マウントインタフェースに取り付けるように構成される雄収容部とを有する２次アダプタハウジングを備える２次アダプタを備え、
前記２次アダプタは、種々の交換レンズ及び対応するカメラの特定のマウントインタフェースを収容するように構成されることを特徴とする、請求項２に記載の光フィールドアダプタ。
【請求項９】
前記２次アダプタハウジングは、交換レンズ及び対応するカメラの様々な位置合わせ距離を補正するように構成される追加の光学要素を備えることを特徴とする、請求項８に記載の光フィールドアダプタ。
【請求項１０】
前記２次アダプタハウジングは、更に、交換レンズ及び対応するカメラに固有の特定のマウント構成に一致する１つ又はそれ以上の電気接点を備えることを特徴とする、請求項８に記載の光フィールドアダプタ。
【請求項１１】
更に、前記交換レンズの前記雄マウントに取り付けるように構成される雌収容部と、前記光フィールドアダプタの前記雌収容部に取り付けるように構成される雄収容部とを有する２次アダプタハウジングを備える２次アダプタを備え、
前記２次アダプタは、種々の交換レンズ及び対応するカメラの特定のマウントインタフェースを収容するように構成されることを特徴とする、請求項２に記載の光フィールドアダプタ。
【請求項１２】
交換レンズカメラ上に光フィールド画像を生成するための装置であって、
カメラのマウントインタフェースに受け入れられるように構成される第１の端部と、交換レンズのマウントインタフェースに結合されるように構成される第２の端部とを備えるアダプタハウジングと、
前記ハウジング内に配設されるレンズアレイと、を備え、
前記レンズアレイは、複数のレンズを備え、前記複数のレンズの各々は、前記カメラのセンサを可変的に照明して、前記カメラによって撮像される画像上に光フィールド効果を生成するように構成される、
ことを特徴とする装置。
【請求項１３】
前記アダプタハウジングは、カメラ本体の雌マウント内に受け入れられるように構成される雄収容部と、前記交換レンズの雄マウントを受け入れるように構成される雌収容部とを備えることを特徴とする、請求項１２に記載の装置。
【請求項１４】
前記雄収容部は、前記カメラと通信するための１つ又はそれ以上の電気接点を備え、前記雌収容部は、前記交換レンズと通信するための１つ又はそれ以上の電気接点を備えることを特徴とする、請求項１３に記載の装置。
【請求項１５】
前記レンズアレイは、前記アダプタハウジングにおいて、前記交換レンズ及びカメラセンサの位置合わせ距離に対応する位置に配設されることを特徴とする、請求項１２に記載の装置。
【請求項１６】
前記レンズアレイの前記複数のレンズは、前記カメラセンサに焦点を合わせるように構成及び位置決めされて、得られる取り込まれた光フィールドを用いて、超解像画像を生成するようになっていることを特徴とする、請求項１２に記載の装置。
【請求項１７】
前記レンズアレイの前記複数のレンズは、無限被写界深度のレンダリング、浅い被写界深度のレンダリング、及び異なるシーン深度に焦点が合わせられる画像のうちの１つ又はそれ以上を提供するように構成及び位置決めされることを特徴とする、請求項１２に記載の装置。
【請求項１８】
前記レンズアレイの前記複数のレンズは、シングルショットからの深度マップ計算、及び高品質３Ｄ撮像の１つ又はそれ以上を提供するように構成及び位置決めされることを特徴とする、請求項１２に記載の装置。
【請求項１９】
更に、前記アダプタハウジングの前記雄収容部に取り付けるように構成される雌収容部と、前記カメラの前記マウントインタフェースに取り付けるように構成される雄収容部とを有する２次アダプタハウジングを備える２次アダプタを備え、
前記２次アダプタは、種々の交換レンズ及び対応するカメラの特定のマウントインタフェースを収容するように構成されることを特徴とする、請求項１３に記載の装置。
【請求項２０】
前記２次アダプタハウジングは、交換レンズ及び対応するカメラの様々な位置合わせ距離を補正するように構成される追加の光学要素を備えることを特徴とする、請求項１９に記載の装置。
【請求項２１】
前記２次アダプタハウジングは、更に、交換レンズ及び対応するカメラに固有の特定のマウント構成に一致する１つ又はそれ以上の電気接点を備えることを特徴とする、請求項１９に記載の装置。
【請求項２２】
更に、前記交換レンズの前記雄マウントに取り付けるように構成される雌収容部と、前記光フィールドアダプタの前記雌収容部に取り付けるように構成される雄収容部とを有する２次アダプタハウジングを備える２次アダプタを備え、
前記２次アダプタは、種々の交換レンズ及び対応するカメラの特定のマウントインタフェースを収容するように構成されることを特徴とする、請求項１３に記載の装置。
【発明の詳細な説明】
【技術分野】
【０００１】
〔関連出願の相互参照〕
[0001]  本出願は、２０１７年１１月３日に出願された米国仮特許出願第６２／５８１，１０７号に対する優先権及びその利益を主張するものであり、この仮特許出願はその全体が引用により本明細書に組み入れられる。
【０００２】
〔連邦政府が支援する研究又は開発に関する記述〕
[0002]  適用なし
【０００３】
〔著作権保護を受ける資料の通知〕
[0003]  本特許文書中の資料の一部は、米国及びその他の国の著作権法の下で著作権保護を受けることができる。著作権の権利所有者は、米国特許商標庁の一般公開ファイル又は記録内に表されるとおりに第三者が特許文献又は特許開示を複製することには異議を唱えないが、それ以外は全ての著作権を留保する。著作権所有者は、限定するわけではないが、米国特許法施行規則§１．１４に従う権利を含め、本特許文献を秘密裏に保持しておくあらゆる権利を本明細書によって放棄するものではない。
【０００４】
[0005]  本開示の技術は、一般に、カメラ光学系に関し、具体的には、交換レンズカメラのための光フィールドアダプタに関する。
【背景技術】
【０００５】
[0007]  通常の光フィールドカメラでは、光学的に同じマイクロレンズのアレイが、カメラのセンサと主レンズとの間に挿入される。光フィールドから取り込まれる画像は、非常に低い解像度で、狭い角度であり、良好な照明を必要とする。
【０００６】
[0008]  アドビ（Ａｄｏｂｅ）の光フィールドカメラでは、光学的に同じレンズのアレイが、主レンズの前に挿入される。画像が、わずかに異なる角度で取り込まれて、これにより、焦点を再び合わせることができる。しかしながら、品質が良好ではない。
【０００７】
[0009]  ライト（Ｌｉｇｈｔ）社による「Ｌ１６」光フィールドカメラは、１０個又はそれ以上のカメラを組み込み、これらは、同時にシャッタが切れて、同じシーンのわずかに異なる視点を取り込む。Ｌ１６カメラは、ズームのレベルに応じて、各ショットに用いる２８ｍｍ、７０ｍｍ及び１５０ｍｍモジュールの組み合わせを選択する。そして、これらの個々のショットは、互いに計算的に融合されて、極めて高解像度の５２ＭＰ写真を作成する。
【発明の概要】
【発明が解決しようとする課題】
【０００８】
[0010]  したがって、本明細書の目的は、高価な専用の光フィールドカメラを有する代わりに、任意の交換レンズカメラを光フィールドカメラに変換するように構成されるアダプタである。
【課題を解決するための手段】
【０００９】
[0011]  本開示の一態様は、複数のレンズと共に作動して、複数の画像の焦点を１つのセンサに合わせることができる光フィールドアダプタである。一実施形態では、光フィールドアダプタは、カメラと交換レンズとの間に受け入れられるように構成され、異なる焦点深度にアレイ又はレンズを備え、これらは、カメラセンサを照明して、シーンから発する光フィールドについての情報を取り込むように構成される。
【００１０】
[0012]  本明細書の以下の部分では、本明細書で説明する技術のさらなる態様が明らかになり、この詳細な説明は、本技術の好ましい実施形態を制限することなく完全に開示するためのものである。
【００１１】
[0013]  本明細書で説明する技術は、例示のみを目的とする以下の図面を参照することによって十分に理解されるであろう。
【図面の簡単な説明】
【００１２】
【図１】本開示による交換レンズカメラのための光フィールドアダプタの側断面図である。
【図２】図１の光フィールドアダプタの前面図である。
【図３】カメラと交換レンズとの間に配設される図１の光フィールドアダプタの側面図である。
【図４】図１の光フィールドアダプタ及び本明細書による２次アダプタの側面図である。
【発明を実施するための形態】
【００１３】
[0018]  図１は、本開示による交換レンズカメラのための光フィールドアダプタ１０の側断面図である。図２は、光フィールドアダプタ１０の前面図を示す。
【００１４】
[0019]  光フィールドアダプタ１０は、レンズアレイ１４を収容するように構成されるアダプタハウジング１２を備える。アダプタハウジング１２は、カメラ本体の雌マウント内に受け入れられるように構成される雄収容部１６と、交換レンズの雄マウントを受け入れるように構成される雌収容部１８とを備える。適切である場合には、雄収容部１６は、カメラと通信するための電気接点２２を備えることができ、雌収容部は、交換レンズと通信するための電気接点２４を有することができる。
【００１５】
[0020]  図２に示すように、レンズアレイ１４は、個々のレンズ２０のアレイを備え、レンズ２０の各々は、カメラセンサの異なる部分に焦点を合わせて、例えば、光フィールド効果を生成するように構成される。レンズアレイ２０は、異なる焦点距離又はズームのレンズ、例えば、各ショットに用いる２８ｍｍ、７０ｍｍ及び１５０ｍｍモジュールを備えることができる。
【００１６】
[0021]  通常の交換レンズカメラでは、レンズは、一般に、それらが構築される「マウントシステム」内でのみ交換可能である。というのは、レンズマウントシステムに関して、異なるカメラメーカーの間に、共通性がほとんどないからである。雄収容部１６及び雌収容部１８は、様々なマウントシステム、例えば、ライカ（Ｌｅｉｃａ）、ニコン（Ｎｉｋｏｎ）、ペンタックス（Ｐｅｎｔａｘ）、キャノン（Ｃａｎｏｎ）、ゼニット（Ｚｅｎｉｔ）、プラクチカ（Ｐｒａｋｔｉｃａ）、フジカ（Ｆｕｊｉｃａ）と互換性のあるＭ４２レンズマウント、又はライカ及びコンタックス（Ｃｏｎｔａｘ）並びにいくつかのライカコピーによって用いられるＭ３９マウント（ＬＴＭ（ライカねじマウント）としても知られる）のいずれかを用いるフォーサーズシステム（Ｆｏｕｒ  Ｔｈｉｒｄｓ  Ｓｙｓｔｅｍ）など、と互換性があるように構成することができる。
【００１７】
[0022]  雄収容部１６及び雌収容部１８は、キャノンＥＦ及びＥＦＳレンズマウント、オリンパス（Ｏｌｙｍｐｕｓ）及びパナソニック（Ｐａｎａｓｏｎｉｃ）によって開発されたマイクロフォーサーズ（Ｍｉｃｒｏ  Ｆｏｕｒ  Ｔｈｉｒｄｓ）マウント、ミノルタ（Ｍｉｎｏｌｔａ）Ａマウントシステム、及びニコンＦマウントシステムと互換性があるように構成することもできる。
【００１８】
[0023]  図３は、カメラ３０と交換レンズ４０との間に配設される図１の光フィールドアダプタ１０の側面図である。設置されると、アダプタ１０の雄収容部１６は、カメラ３０の本体の雌マウント３４内に受け入れられ、雌収容部１８は、交換レンズ４０の雄マウント４６を受け入れる。適切である場合には、雄収容部１６は、取り付けられると、カメラ３０の電気接点３６と位置合わせするように構成される電気接点２２を備えることができ、雌収容部１８は、交換レンズ４０の電気接点４４と位置合わせするように構成される電気接点２４を有することができる。したがって、接点２２／２４は、カメラ３０をレンズ４０と電気的に結合して、両者間の通信及び電力送出を可能にして、レンズ４０のオートフォーカス、開口制御、ズーム、検知、又は他のコマンド／動作をさせる。
【００１９】
[0024]  図３に見られるように、交換レンズ４０に入射する光は、レンズ４２によって成形され、焦点距離Ｄ1及び位置合わせ距離を有し、位置合わせ距離は、一般に、雄マウントからカメラセンサ３２の平面までの特定の距離である。レンズアレイ１４は、好ましくは、アダプタハウジング１２内において、レンズ４０の焦点面の付近に位置するように位置決めされる。アレイ１４の個々のレンズ２０のアレイ１４は、各々、特定の距離Ｄ2で、カメラセンサ３２の異なる部分に焦点を合わせるように構成される。光フィールドアレイ１４のレンズ２０の各々は、異なる焦点距離又はズームを有し、超解像（より高解像度の画像の再構成）、無限被写界深度のレンダリング（全ての焦点が合っている画像の作成）、浅い被写界深度のレンダリング（対象に焦点が合っている場合の物体のみ）、デジタル・リフォーカシング（ｄｉｇｉｔａｌ  ｒｅｆｏｃｕｓｉｎｇ）（異なるシーン深度に焦点が合わせられる画像の生成）、シングルショットからの深度マップ計算、及び高品質３Ｄ撮像のうちの１つ又はそれ以上を可能にするように構成することができる。
【００２０】
[0025]  図４は、図１の光フィールドアダプタ１０及び本明細書による２次アダプタ５０の側面図である。２次アダプタ５０は、アダプタハウジング５２を備えることができ、アダプタハウジング５２は、特定の大きさを有し、（対応する電気接点５６及び６０と共に）雌収容部５８及び雄収容部６２を有し、種々のレンズ及びカメラのマウントを収容するようになっている。２次アダプタ５０は、様々な位置合わせ距離（マウントの後部からイメージセンサ３２上の焦点面までの距離）を補正するための追加の光学要素５４を含むことができる。２次アダプタ５０は、特定のマウント構成に一致する接点５６／６０を備えて、機能の潜在的な損失（例えば、オートフォーカス又は自動開口制御の欠如）を軽減することもできる。
【００２１】
[0026]  代替又は追加の２次アダプタ（図示せず）が、同様に、アダプタ１０と交換レンズ４０との間に位置することができ、アダプタ５０と共に又はそれの代わりに用いることができる。この構成では、２次アダプタは、交換レンズ４０の雄マウントに取り付けるように構成される雌収容部と、光フィールドアダプタ１０の雌収容部に取り付けるように構成される雄収容部とを有する２次アダプタハウジングを備える。この２次アダプタは、種々の交換レンズ及び対応するカメラの特定のマウントインタフェースを収容して、特定のマウント構成に一致するレンズ及び接点５６／６０を組み込んで、機能の潜在的な損失（例えば、オートフォーカス又は自動開口制御の欠如）を軽減するように構成することもできる。
【００２２】
[0027]  光フィールドアダプタ１０は、光フィールドカメラに利用可能な全てのアプリケーションを利用して、超解像（より高解像度の画像の再構成）、無限被写界深度のレンダリング（全ての焦点が合っている画像の作成）、浅い被写界深度のレンダリング（対象に焦点が合っている場合の物体のみ）、デジタル・リフォーカシング（異なるシーン深度に焦点が合わせられる画像の生成）、シングルショットからの深度マップ計算、及び高品質３Ｄ撮像のうちの１つ又はそれ以上を含む他の追加の利点を有するように構成することができる。
【００２３】
[0028]  本明細書の光フィールドアダプタは、望遠レンズを含む任意のレンズと互換性があるようにすることができる。
【００２４】
[0029]  本技術の実施形態は、コンピュータプログラム製品としても実装できる、本技術の実施形態による方法及びシステム、及び／又は手順、アルゴリズム、ステップ、動作、数式又はその他の計算表現のフロー図を参照して、本明細書で説明することができる。この点、フロー図の各ブロック又はステップ、及びフロー図のブロック（及び／又はステップ）の組み合わせ、及びあらゆる手順、アルゴリズム、ステップ、動作、式、又は計算表現は、ハードウェア、ファームウェア、及び／又はコンピュータ可読プログラムコードの形で具体化された１つ又はそれ以上のコンピュータプログラム命令を含むソフトウェアなどの様々な手段によって実装することができる。理解されるように、このようなあらゆるコンピュータプログラム命令は、以下に限定されるわけではないが、汎用コンピュータ又は専用コンピュータ、又は機械を生産するためのその他のプログラマブル処理装置を含む１つ又はそれ以上のコンピュータプロセッサによって実行して、コンピュータプロセッサ又はその他のプログラマブル処理装置上で実行されるコンピュータプログラム命令が、特定される機能を実施するための手段を生み出すようにすることができる。
【００２５】
[0030]  したがって、本明細書で説明したフロー図のブロック、及び手順、アルゴリズム、ステップ、動作、式、又は計算表現は、特定の機能を実行するための手段の組み合わせ、特定の機能を実行するためのステップの組み合わせ、及びコンピュータ可読プログラムコード論理手段の形で具体化されるような、特定の機能を実行するためのコンピュータプログラム命令をサポートする。また、本明細書で説明したフロー図の各ブロック、及び手順、アルゴリズム、ステップ、動作、式、又は計算表現、及びこれらの組み合わせは、特定の機能又はステップを実行する専用ハードウェアベースのコンピュータシステム、又は専用ハードウェアとコンピュータ可読プログラムコードの組み合わせによって実装することもできると理解されるであろう。
【００２６】
[0031]  更に、コンピュータ可読プログラムコードなどの形で具体化されるこれらのコンピュータプログラム命令を、コンピュータプロセッサ又はその他のプログラマブル処理装置に特定の態様で機能するように指示することができる１つ又はそれ以上のコンピュータ可読メモリ又はメモリ装置に記憶して、これらのコンピュータ可読メモリ又はメモリ装置に記憶された命令が、（単複の）フロー図の（単複の）ブロック内に指定される機能を実施する命令手段を含む製造の物品を生産するようにすることもできる。コンピュータプログラム命令をコンピュータプロセッサ又はその他のプログラマブル処理装置によって実行し、コンピュータプロセッサ又はその他のプログラマブル処理装置上で一連の動作ステップが実行されるようにしてコンピュータで実施される処理を生成し、コンピュータプロセッサ又はその他のプログラマブル処理装置上で実行される命令が、（単複の）フロー図の（単複の）ブロック、（単複の）手順、（単複の）アルゴリズム、（単複の）ステップ、（単複の）動作、（単複の）式、又は（単複の）計算表現に特定される機能を実施するためのステップを提供するようにすることもできる。
【００２７】
[0032]  更に、本明細書で使用する「プログラミング」又は「実行可能なプログラム」という用語は、本明細書で説明した１つ又はそれ以上の機能を実行するために１つ又はそれ以上のコンピュータプロセッサが実行できる１つ又はそれ以上の命令を意味すると理解されるであろう。命令は、ソフトウェア、ファームウェア、又はソフトウェアとファームウェアとの組み合わせで具体化することができる。命令は、装置の非一時的媒体にローカルに記憶することも、又はサーバなどに遠隔的に記憶することもでき、或いは命令の全部又は一部をローカル又は遠隔的に記憶することもできる。遠隔的に記憶された命令は、１つ又はそれ以上の要因に基づいて、ユーザが開始することによって又は自動的に装置にダウンロード（プッシュ）することができる。
【００２８】
[0033]  更に、本明細書で使用するプロセッサ、ハードウェアプロセッサ、コンピュータプロセッサ、中央処理装置（ＣＰＵ）及びコンピュータという用語は、命令、並びに入力／出力インタフェース及び／又は周辺装置との通信を実行できる装置を示すために同義的に使用され、プロセッサ、ハードウェアプロセッサ、コンピュータプロセッサ、ＣＰＵ及びコンピュータという用語は、単一又は複数の装置、単一コア及びマルチコア装置、及びその変形形態を含むことを意図するものであると理解されるであろう。
【００２９】
[0034]  本明細書の説明から、本開示は、限定ではないが以下の内容を含む複数の実施形態を含むと理解されるであろう。
【００３０】
[0035]  １．交換レンズカメラのための光フィールドアダプタであって、カメラのマウントインタフェースに受け入れられるように構成される第１の端部と、交換レンズのマウントインタフェースに結合されるように構成される第２の端部とを備えるアダプタハウジングと、前記ハウジング内に配設されるレンズアレイと、を備え、前記レンズアレイは、前記カメラのセンサから複数の距離に配設される複数のレンズを備えて、前記複数のレンズの各々が、センサの異なる領域を照明して、シーンから発する光フィールドについての情報を取り込むようになっている、光フィールドアダプタ。
【００３１】
[0036]  ２．前記アダプタハウジングは、カメラ本体の雌マウント内に受け入れられるように構成される雄収容部と、前記交換レンズの雄マウントを受け入れるように構成される雌収容部とを備える、前出又は以下の実施形態のいずれかに記載の光フィールドアダプタ。
【００３２】
[0037]  ３．前記雄収容部は、前記カメラと通信するための１つ又はそれ以上の電気接点を備え、前記雌収容部は、前記交換レンズと通信するための１つ又はそれ以上の電気接点を備える、前出又は以下の実施形態のいずれかに記載の光フィールドアダプタ。
【００３３】
[0038]  ４．前記レンズアレイは、前記アダプタハウジングにおいて、前記交換レンズ及びカメラセンサの位置合わせ距離に対応する位置に配設される、前出又は以下の実施形態のいずれかに記載の光フィールドアダプタ。
【００３４】
[0039]  ５．前記レンズアレイの前記複数のレンズは、前記カメラセンサに焦点を合わせるように構成及び位置決めされ、取り込まれた前記光フィールドを用いて、超解像画像を生成する、前出又は以下の実施形態のいずれかに記載の光フィールドアダプタ。
【００３５】
[0040]  ６．前記レンズアレイの前記複数のレンズは、取り込まれた前記光フィールドを用いて、無限被写界深度のレンダリング、浅い被写界深度のレンダリング、及び異なるシーン深度に焦点が合わせられる画像のうちの１つ又はそれ以上を生成するように構成及び位置決めされる、前出又は以下の実施形態のいずれかに記載の光フィールドアダプタ。
【００３６】
[0041]  ７．前記レンズアレイの前記複数のレンズは、シングルショットからの深度マップ計算、及び高品質３Ｄ撮像の１つ又はそれ以上を提供するように構成及び位置決めされる、前出又は以下の実施形態のいずれかに記載の光フィールドアダプタ。
【００３７】
[0042]  ８．更に、前記アダプタハウジングの前記雄収容部に取り付けるように構成される雌収容部と、前記カメラの前記マウントインタフェースに取り付けるように構成される雄収容部とを有する２次アダプタハウジングを備える２次アダプタを備え、前記２次アダプタは、種々の交換レンズ及び対応するカメラの特定のマウントインタフェースを収容するように構成される、前出又は以下の実施形態のいずれかに記載の光フィールドアダプタ。
【００３８】
[0043]  ９．前記２次アダプタハウジングは、交換レンズ及び対応するカメラの様々な位置合わせ距離を補正するように構成される追加の光学要素を備える、前出又は以下の実施形態のいずれかに記載の光フィールドアダプタ。
【００３９】
[0044]  １０．前記２次アダプタハウジングは、更に、交換レンズ及び対応するカメラに固有の特定のマウント構成に一致する１つ又はそれ以上の電気接点を備える、前出又は以下の実施形態のいずれかに記載の光フィールドアダプタ。
【００４０】
[0045]  １１．更に、前記交換レンズの前記雄マウントに取り付けるように構成される雌収容部と、前記光フィールドアダプタの前記雌収容部に取り付けるように構成される雄収容部とを有する２次アダプタハウジングを備える２次アダプタを備え、前記２次アダプタは、種々の交換レンズ及び対応するカメラの特定のマウントインタフェースを収容するように構成される、前出又は以下の実施形態のいずれかに記載の光フィールドアダプタ。
【００４１】
[0046]  １２．交換レンズカメラ上に光フィールド画像を生成するための装置であって、カメラのマウントインタフェースに受け入れられるように構成される第１の端部と、交換レンズのマウントインタフェースに結合されるように構成される第２の端部とを備えるアダプタハウジングと、前記ハウジング内に配設されるレンズアレイと、を備え、前記レンズアレイは、複数のレンズを備え、前記複数のレンズの各々は、前記カメラのセンサを可変的に照明して、前記カメラによって撮像される画像上に光フィールド効果を生成するように構成される、装置。
【００４２】
[0047]  １３．前記アダプタハウジングは、カメラ本体の雌マウント内に受け入れられるように構成される雄収容部と、前記交換レンズの雄マウントを受け入れるように構成される雌収容部とを備える、前出又は以下の実施形態のいずれかに記載の装置。
【００４３】
[0048]  １４．前記雄収容部は、前記カメラと通信するための１つ又はそれ以上の電気接点を備え、前記雌収容部は、前記交換レンズと通信するための１つ又はそれ以上の電気接点を備える、前出又は以下の実施形態のいずれかに記載の装置。
【００４４】
[0049]  １５．前記レンズアレイは、前記アダプタハウジングにおいて、前記交換レンズ及びカメラセンサの位置合わせ距離に対応する位置に配設される、前出又は以下の実施形態のいずれかに記載の装置。
【００４５】
[0050]  １６．前記レンズアレイの前記複数のレンズは、前記カメラセンサに焦点を合わせるように構成及び位置決めされて、得られる取り込まれた光フィールドを用いて、超解像画像を生成するようになっている、前出又は以下の実施形態のいずれかに記載の装置。
【００４６】
[0051]  １７．前記レンズアレイの前記複数のレンズは、無限被写界深度のレンダリング、浅い被写界深度のレンダリング、及び異なるシーン深度に焦点が合わせられる画像のうちの１つ又はそれ以上を提供するように構成及び位置決めされる、前出又は以下の実施形態のいずれかに記載の装置。
【００４７】
[0052]  １８．前記レンズアレイの前記複数のレンズは、シングルショットからの深度マップ計算、及び高品質３Ｄ撮像の１つ又はそれ以上を提供するように構成及び位置決めされる、前出又は以下の実施形態のいずれかに記載の装置。
【００４８】
[0053]  １９．更に、前記アダプタハウジングの前記雄収容部に取り付けるように構成される雌収容部と、前記カメラの前記マウントインタフェースに取り付けるように構成される雄収容部とを有する２次アダプタハウジングを備える２次アダプタを備え、前記２次アダプタは、種々の交換レンズ及び対応するカメラの特定のマウントインタフェースを収容するように構成される、前出又は以下の実施形態のいずれかに記載の装置。
【００４９】
[0054]  ２０．前記２次アダプタハウジングは、交換レンズ及び対応するカメラの様々な位置合わせ距離を補正するように構成される追加の光学要素を備える、前出又は以下の実施形態のいずれかに記載の装置。
【００５０】
[0055]  ２１．前記２次アダプタハウジングは、更に、交換レンズ及び対応するカメラに固有の特定のマウント構成に一致する１つ又はそれ以上の電気接点を備える、前出又は以下の実施形態のいずれかに記載の装置。
【００５１】
[0056]  ２２．更に、前記交換レンズの前記雄マウントに取り付けるように構成される雌収容部と、前記光フィールドアダプタの前記雌収容部に取り付けるように構成される雄収容部とを有する２次アダプタハウジングを備える２次アダプタを備え、前記２次アダプタは、種々の交換レンズ及び対応するカメラの特定のマウントインタフェースを収容するように構成される、前出又は以下の実施形態のいずれかに記載の装置。
【００５２】
[0057]  本明細書で使用する単数語「ａ」、「ａｎ」、及び「ｔｈｅ」は、文脈によって別途明確に指定しない限り、複数の参照物を含むことができる。単数形による物への言及は、明述しない限り「唯一」を意味するものではなく、「１つ又はそれ以上」を意味するものである。
【００５３】
[0058]  本明細書で使用する「セット（ｓｅｔ）」という語は、１つ又はそれ以上の物の集まりを意味する。したがって、例えば、物のセットは、単一の物又は複数の物を含むことができる。
【００５４】
[0059]  本明細書で使用する「実質的に（substantially）」及び「約（about）」という語は、小さな差を説明するために用いられる。これらの語は、出来事又は状況と共に用いられるとき、その出来事又は状況が正確に発生する場合、及びその出来事又は状況が近似的に発生する場合を意味することができる。これらの語は、数値と共に用いられるとき、その数値の±１０％以下、例えば、±５％以下、±４％以下、±３％以下、±２％以下、±１％以下、±０．５％以下、±０．１％以下、又は±０．０５％以下などの差の範囲を意味することができる。例えば、「実質的に」位置合わせされるとは、±１０°以下、例えば、±５°以下、±４°以下、±３°以下、±２°以下、±１°以下、±０．５°以下、±０．１°以下、又は±０．０５°以下などの角度差の範囲を意味することができる。
【００５５】
[0060]  更に、本明細書で、量、比、及び他の数値を、範囲の形式で示すことができる場合もある。このような範囲の形式は、便宜及び簡潔のために用いられ、範囲の限界として明示される数値を含むが、あたかも各数値及び部分範囲が明示されているかのようにその範囲に包含される全ての個々の数値又は部分範囲も含むと柔軟に理解されるべきであることを理解されたい。例えば、約１〜約２００の範囲の比は、約１及び約２００の明示された限界を含むが、約２、約３及び約４などの個々の比、及び約１０〜約５０、約２０〜約１００等などの部分範囲も含むと理解されるべきである。
【００５６】
[0061]  本明細書の説明は多くの詳細を含んでいるが、これらは本開示の範囲を限定するものではなく、現在のところ好ましい実施形態の一部を例示するものにすぎないと解釈すべきである。したがって、本開示の範囲は、当業者に明らかになると思われる他の実施形態も完全に含むと理解されるであろう。
【００５７】
[0062]  当業者には周知の開示した実施形態の要素の全ての構造的及び機能的同等物は、引用によって本明細書に明確に組み入れられ、本特許請求の範囲に含まれることが意図されている。更に、本開示の要素、構成要素又は方法ステップは、これらが特許請求の範囲に明示されているかどうかにかかわらず、一般に公開されることを意図するものではない。本明細書における請求項の要素のどれも、この要素が「のための手段」という語句を使用して明示的に示されていない限り、「手段プラス機能」要素と解釈されないものとする。本明細書における請求項の要素のどれも、この要素が「のためのステップ」という語句を使用して明示的に示されていない限り、「ステッププラス機能」要素と解釈されないものとする。
【符号の説明】
【００５８】
１０  光フィールドアダプタ
１２  アダプタハウジング
１４  レンズアレイ
１６  雄収容部
１８  雌収容部
２０  レンズ
２２  電気接点
２４  電気接点
３０  カメラ
３２  カメラセンサ
３４  雌マウント
３６  電気接点
４０  交換レンズ
４２  レンズ
４４  電気接点
４６  雄マウント
５０  ２次アダプタ
５２  アダプタハウジング
５４  光学要素
５６  電気接点
５８  雌収容部
６０  電気接点
６２  雄収容部
Ｄ1  焦点距離
Ｄ2  特定の距離
【図１】
2021500622.tif 000003
【図２】
2021500622.tif 000004
【図３】
2021500622.tif 000005
【図４】
2021500622.tif 000006
【国際調査報告】
2021500622.tif 000007
2021500622.tif 000008
2021500622.tif 000009
2021500622.tif 000010